(57)【要約】【課題】  遊技性を向上させるために遊技球の移動経路を変える遊技構成部材を備えた弾球遊技機を提供する。【解決手段】  パチンコ機ＰＭが、センター役物ＣＹ内の第２ステージ部１２０に下方に開口する球導入用開口１２２が形成され、第２ステージ部１２０に一端が取り付けられ、略水平状態で球導入用開口１２２を閉鎖する閉鎖位置と第２ステージ部１２０に対して他端が下方に傾斜した状態で遊技球を球導入用開口１２２内へと誘導する開放位置との間で回動変位可能な開閉扉１３１を有し、開閉扉１３１が一端に設けられた捩りバネ１３３により閉鎖位置方向に回動するように常に付勢され、開閉扉１３１上を所定以上の個数の遊技球が転動するときに、開閉扉１３１が捩りバネ１３３による付勢に抗して開放位置へと回動することにより遊技球が球導入用開口１２２内へ誘導される。【選択図】  図４
2006149924.tif 000002
【特許請求の範囲】
【請求項１】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤の前面に後方に凹んで形成され遊技球を内部空間内に導入可能に構成されたセンター役物が設けられ、
前記内部空間の下部に前記内部空間に導入された遊技球が転動可能なステージ部を備え、
前記ステージ部に下方に開口する球導入用開口が形成され、
前記ステージ部に一端が取り付けられ、前記球導入用開口を閉鎖する閉鎖位置と前記ステージ部に対して他端が下方に傾斜した状態で遊技球を前記球導入用開口内へと誘導する開放位置との間で変移可能な可動部材を有し、
前記可動部材が前記閉鎖位置方向に常に付勢され、
前記可動部材上を所定個数以上の遊技球が転動するときに、遊技球の重さにより前記可動部材が付勢に抗して前記開放位置方向に変移して遊技球が前記球導入用開口内へと誘導されることを特徴とする弾球遊技機。
【請求項２】
前記可動部材が前記ステージ部に前後に延びて形成された前記球導入用開口を開閉可能に取り付けられ、
前記ステージ部における前記可動部材の後方に遊技球を前方に向けて誘導するガイド部材が前後に延びて設けられ、
前記内部空間に導入された遊技球が前記ガイド部材に誘導されながら前記ステージ部を前記可動部材に向けて前方に転動するように構成されたことを特徴とする請求項１に記載の弾球遊技機。
【請求項３】
前記ステージ下方に前記球導入用開口から前記遊技盤の前面に連通する球通路が形成され、
前記球導入開口内へ誘導された遊技球が前記球通路を通って前記センター役物の下方に設けられた所定の前記入賞装置に向けて落下するように構成されたことを特徴とする請求項２に記載の弾球遊技機。
【発明の詳細な説明】
【技術分野】
【０００１】
本発明は、遊技盤の上部に打ち出された遊技球を遊技盤の前面に沿って落下移動させ、遊技盤の前面に設けられた入賞装置へ入賞させる遊技を行うような構成の弾球遊技機に関する。
【背景技術】
【０００２】
このような弾球遊技機を代表するものとしてパチンコ機が知られている。パチンコ機は、これに装備された発射装置から発射された遊技球を遊技盤面上に配設したレールに沿って移動させて遊技盤の上部に打ち出し、遊技球を遊技盤前面に沿って落下移動させ、遊技盤前面の所望位置に設けられた入賞装置へ遊技球が入賞したときに、所定数の遊技球を賞球として払い出す遊技を行うように構成されている。遊技盤の前面には、入賞装置に加えて所定の配列で遊技盤に打ち込まれた多数の釘、風車等が設けられており、遊技球の落下移動経路を多様に変化させて遊技演出効果を持たせている。さらに、遊技盤前面の遊技領域の周囲にはレール飾り、ランプ飾りが設けられて遊技領域を設定するとともに遊技中でのランプ点灯により演出効果を高める工夫が凝らされている。
【０００３】
また、遊技盤の中央部には、周囲を中央飾りにより囲まれるとともにその内部空間内に液晶表示装置や入賞具を設けてなるセンター役物を配設することも多い。センター役物において内部空間内に入賞具を設けるときに、中央飾りの上部や左右側部に遊技球が入り込むことが可能な通路を設け、この通路を通って内部空間内に入り込んだ遊技球が内部空間の下面転動面上を転動移動して、入賞具に入賞したり、入賞具には入賞せずに外側に排出されたりするような工夫がなされている。このようなことは、例えば、特許文献１にも記載されている。
【特許文献１】特開２００４−１４７９４１号公報
【発明の開示】
【発明が解決しようとする課題】
【０００４】
このように従来のパチンコ機では遊技盤前面に沿って落下移動する遊技球の移動経路に多様性を持たせたり、センター役物において中央飾りの内部空間の下面転動での遊技球の転動移動による演出等、遊技性を高め、遊技者が遊技をより楽しく行えるようにする種々の工夫がなされているが、特にモータ等の動力を必要とせずに作動して遊技球の移動経路を変更させるような遊技構成部材をセンター役物に自由に配設して遊技性をさらに高めることができるような遊技装置構成が求められている。
【０００５】
以上のような課題に鑑みて、本発明では、遊技性を向上させた弾球遊技機を提供することを目的とする。
【課題を解決するための手段】
【０００６】
前記課題を解決するために本発明に係る弾球遊技機（例えば、実施形態におけるパチンコ機ＰＭ）は、入賞装置（例えば実施形態における始動入賞装置１７および大入賞装置１８）が設けられた遊技盤を立設配置して構成され、遊技盤の上部に打ち出された遊技球を遊技盤の前面に沿って落下移動させて入賞装置へ入賞させる遊技を行うように構成され、遊技盤の前面に後方に凹んで形成され遊技球を内部空間内に導入可能に構成されたセンター役物が設けられ、内部空間の下部に内部空間に導入された遊技球が転動可能なステージ部（例えば、実施形態における第２ステージ部１２０）を備え、ステージ部に下方に開口する球導入用開口が形成され、ステージ部に一端が取り付けられ、球導入用開口を閉鎖する閉鎖位置とステージ部に対して他端が下方に傾斜した状態で遊技球を球導入用開口内へと誘導する開放位置との間で変移可能な可動部材（例えば、実施形態における開閉扉１３１）を有し、可動部材が閉鎖位置方向に常に付勢され、可動部材上を所定個数以上の遊技球が転動するときに、遊技球の重さにより可動部材が付勢に抗して開放位置方向に変移して遊技球が球導入用開口内へと誘導される。
【０００７】
また、上記構成の弾球遊技機において、可動部材がステージ部に前後に延びて形成された球導入用開口を開閉可能に取り付けられ、ステージ部における可動部材の後方に遊技球を前方に向けて誘導するガイド部材（例えば、実施形態におけるガイド部１２３）が前後に延びて設けられ、内部空間に導入された遊技球がガイド部材に誘導されながらステージ部を可動部材に向けて前方に転動するように構成するのが好ましい。
【０００８】
さらに、上記構成の弾球遊技機において、ステージ下方に球導入用開口から遊技盤の前面に連通する球通路が形成され、球導入開口内へ誘導された遊技球が球通路を通ってセンター役物の下方に設けられた所定の入賞装置に向けて落下するように構成するのが好ましい。
【発明の効果】
【０００９】
本発明に関する弾球遊技機によれば、内部空間に導入された遊技球がステージを転動しつつ中央飾りの下方に向けて落下するが、内部空間には遊技球の落下経路を変更するための可動部材が設けられている。この可動物は、ステージを転動する所定個数以上の遊技球が当該可動部材上に一度に達したときに作動して、遊技球の落下経路を変更させることが可能となっている。そして、可動部材により遊技球の落下経路を変更させれば、遊技球を入賞装置に入賞し易くさせたり、入賞しにくくさせたりすることが可能であり、遊技球の落下経路によって入賞装置への入賞可能性が異なるため、遊技性がより向上した遊技装置構成になっている。さらに、この可動部材は、モータやソレノイドといったもので発生する動力を必要としないため、外部からの電力供給が不要で外部配線が不要であり配線による制約を受けないことから、センター役物のステージ上に自由に配設することができるという利点を有する。その上、モータやソレノイドを必要としない分、部品の数を減らすことができ、遊技装置を構成する上でのコストを削減することができる。
【００１０】
また、特にステージ部にガイド部材を設けることにより、ステージ部上を転動する遊技球を開閉扉上に向かって転動するように誘導することが可能となっており、球導入用開口に誘導された遊技球を遊技盤の前面に連通する球通路に通過させることで、始動入賞装置により近い位置から遊技球が落下して始動入賞装置に入賞し易くすることが可能となっている。
【発明を実施するための最良の形態】
【００１１】
以下、本発明の好ましい実施形態について図面を参照しながら説明する。本発明に係る弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図で、図２はパチンコ機ＰＭの内部構造を表した背面図である。
【００１２】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられた施錠装置７を利用して常には外枠１と係合連結された閉止状態に保持される。
【００１３】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１４】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取付可能に構成しているが、収容部を背面側に設けて遊技盤を背面側において取付可能な構成としてもよい。
【００１５】
遊技盤１０は、板厚１９ｍｍ程度の積層合板を所定形状に切断等して、その表面に所定意匠のセルを貼り付けた化粧板（ベニヤとも称される）１１を基板として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、始動入賞装置１７や大入賞装置１８等の各種入賞装置、図柄表示装置２０が取り付けられた中央飾り１００等の遊技構成部品が取り付けられ、下端部には各入賞装置に入賞することなく遊技領域ＰＡを転動落下した遊技球を回収するためのアウト口１９が設けられる。
【００１６】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基いて遊技球を払い出す球払出装置３４、球払出装置３４から払い出された遊技球を球皿４に導く球払出通路３５等の遊技球の処理機構が設けられている。
【００１７】
また、裏セット盤３０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００１８】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００１９】
次に、センター役物ＣＹについて図３および図４を追加参照しながら説明する。ここで、図３はセンター役物ＣＹの正面図で、図４はセンター役物ＣＹの内部空間の下部に設けられたステージ部周辺を示す斜視図である。
【００２０】
センター役物ＣＹは、樹脂材料を用いて射出成形等により一体的に形成された中央飾り１００を遊技盤１０の中央前面側に取り付けられて構成される。この中央飾り１００の中央部には、前後に開口した略直方体形の内部空間１０１が形成されており、図１に示すように、この内部空間１０１およびガラス扉３を通じて、中央飾り１００の奥に取り付けられた図柄表示装置２０の表示面２０ａを視認できるようになっている。
【００２１】
中央飾り１００の左側部には、遊技領域ＰＡを流下する遊技球が通過可能な球取込口１０２が形成されており、中央飾り１００内のワープ通路１０３に繋がっている。このワープ通路１０３は、中央飾り１００内で球取込口１０２から下方および後方に延びて内部空間１０１へ繋がるように形成されており、球取込口１０２を通過してワープ通路１０３に達した遊技球は、ワープ通路１０３内を転動して内部空間１０１に入球するようになっている。
【００２２】
内部空間１０１の下部には、内部空間１０１に入球した遊技球が転動可能な第１ステージ部１１０が形成される。第１ステージ部１１０は、内部空間１０１において左右に延びるように形成され、第１ステージ部１１０の上に波面状の振り分け部１１１が形成されている。この振り分け部１１１の左端部はワープ通路１０３に繋がっており、ワープ通路１０３を通過した遊技球が振り分け部１１１（第１ステージ部１１０）の上を転動するようになっている。
【００２３】
振り分け部１１１の中央山部には、前方へ向かうにつれて下方へ傾斜する中央傾斜部１１２が形成されており、振り分け部１１１の中央山部で略停止した遊技球は、中央傾斜部１１２を前方へ転動して第１ステージ部１１０の前下方に設けられた第２ステージ部１２０に落下するようになっている。また、振り分け部１１１の左右谷部には、前方へ向かうにつれて下方へ傾斜する（前方が開放された）左傾斜部１１３および右傾斜部１１４がそれぞれ形成されており、振り分け部１１１の左側谷部もしくは右側谷部で略停止した遊技球は、左傾斜部１１３もしくは右傾斜部１１４を前方へ転動して第２ステージ部１２０に落下するようになっている。
【００２４】
すなわち、ワープ通路１０３を通過して振り分け部１１１（第１ステージ部１１０）に達した遊技球は、振り分け部１１１（第１ステージ部１１０）の上を一時的に停留するように左右へ転動し、各傾斜部１１２，１１３，１１４のいずれかを通過して第１ステージ部１１０から落下するようになっている。
【００２５】
前述したように、第１ステージ部１１０の前下方には、第２ステージ部１２０が左右に延びて形成されている。この第２ステージ部１２０は、左右両端から中央に向けて下方へ傾斜する傾斜部と、左右の傾斜部の間に、左右に略水平であるが前方へ向かうにつれて下方へ傾斜する傾斜部１２１とが形成されている。
【００２６】
そして、第１ステージ部１１０の左傾斜部１１３もしくは右傾斜部１１４から落下した遊技球は、第２ステージ部１２０の傾斜部１２１上を一時的に停留するように左右へ転動し、傾斜部１２１を前方に転動して傾斜部１２１の前端部から中央飾り１００（内部空間１０１）の下方へ排出され、遊技領域ＰＡの下部において中央飾り１００の下方に設けられた始動入賞装置１７へ向けて落下するようになっている。
【００２７】
ここで、図５および図６を追加参照して、第２ステージ部１２０に取り付けられた球誘導用の開閉扉１３１について説明する。図５はセンター役物ＣＹの内部空間の下部に設けられたステージ部周辺を示す平面図で、図６はセンター役物のステージ部に設けられた開閉扉の開閉の様子を示す図で、（ａ）はその閉鎖位置にある状態を示す側断面図で、（ｂ）はその開放を始めた状態を示す側断面図で、（ｃ）はその開放位置にある状態を示す側断面図で、（ｄ）乃至（ｆ）は、各々上記（ａ）乃至（ｃ）の状態に対応する平面図である。
【００２８】
図４および図５に示すように、第２ステージ部１２０上には、下方に開口する平面視矩形の球導入用開口１２２が前後に延びて形成されている。また、第２ステージ部１２０上のおけるこの球導入用開口１２２の後方であって、第１ステージ部１１０の中央傾斜部１１２の前下方には、直方体状の一対のガイド部１２３が所定の間隔を置いて前後に延びて設けられている。このため、第１ステージ部１１０の中央傾斜部１１２から第２ステージ部１２０に向けて落下した遊技球は、向かって左側のガイド部１２３と右側のガイド部１２３との間を、これらガイド部１２３，１２３に誘導されながら通過して、上記球導入用開口１２２に向けて転動するようになっている。
【００２９】
球導入用開口１２２のガイド部１２３側端部には回動軸１３２（図６参照）を介して、球導入用開口１２２と略同一の大きさを有し球導入用開口１２２を完全に閉鎖可能な矩形板状の開閉扉１３１が取り付けられている。この開閉扉１３１は、第２ステージ１２０のステージ面と同一の傾斜で球導入用開口１２２を閉鎖する閉鎖位置と、開閉扉１３１における回動軸１３２とは反対側の端部が第２ステージ部１２０に対して下方に傾斜する開放位置とに回動軸１３２を回動中心として回動可能に構成されている。
【００３０】
また、図６に示すように、開閉扉１３１は、回動軸１３２の端部１３２ａと第２ステージ部１２０のステージ面の裏側に設けられた軸受１２４との間に取り付けられている捩りバネ１３３により、常に上記閉鎖位置方向に回動するように付勢されているため、開閉扉１３１が下方に所定以上の力を受けない場合には球導入用開口１２２は閉鎖されているが、開閉扉１３１が下方に所定以上の力を受けた場合に回動軸１３２を回動中心としてその開放位置に向けて下方に回動するようになっている。
【００３１】
第２ステージ部１２０の下方には、球導入用開口１２２から中央飾り１００の前面であって傾斜部１２１の下方に前後に連通する球通路１４２が形成されており、球導入用開口１２２へ誘導された遊技球は、この球通路１４２を通過し球通路１４２の出口である球排出孔１４１から中央飾り１００の下方へと落下するようになっている。
【００３２】
図６（ａ）および（ｄ）に示すように、第２ステージ部１２０の傾斜部１２１上を前方に転動して開閉扉１３１上に達した遊技球が一個の場合には、この開閉扉１３１は、その開放位置に向けて下方に回動するだけの力を受けず、その閉鎖状態が保持される。このため、遊技球は、第２ステージ部１２０の下方の球通路１４２には誘導されずに、そのまま開閉扉１３１上を通過して傾斜部１２１の前端部に向けて転動し、中央飾り１００の下方に落下する。
【００３３】
一方、図６（ｂ）および（ｅ）に示すように、第２ステージ部１２０の傾斜部１２１上を前方に転動する所定個数以上（例えば２個）の遊技球が、上記のように構成された開閉扉１３１上に一度に達した場合には、これらの遊技球の重さにより開閉扉１３１が所定以上の力を受け、捩りバネ１３３による開閉扉１３１を閉鎖位置方向に付勢する力に抗して開閉扉１３１が回動軸１３２を回動中心としてその開放位置に向けて下方に回動を開始する。このため、開閉扉１３１上に所定個数以上の遊技球が一度に達した場合には、これら遊技球は、球導入用開口１２２を通過して第２ステージ部１２０の下方に誘導されるようになっている（図６（ｃ）および（ｆ）参照）。
【００３４】
上述のように、第２ステージ部１２０の下方には、中央飾り１００の前面に連通する球通路１４２が形成されている。このため、上記のようにして開放された球導入用開口１２２から第２ステージ部１２０の下方に誘導された遊技球は、当該球通路１４２を通過して球排出孔１４１から中央飾り１００の下方に落下するようになっている。
【００３５】
そして、球通路１４２を通過し中央飾り１００の下方に落下した遊技球は、遊技領域ＰＡの下部において中央飾り１００の下方に設けられた始動入賞装置１７へ向けて落下するようになっている。すなわち、球通路１４２を通過した遊技球は、球通路１４２を通過せずに落下する遊技球よりも、始動入賞装置１７に対してより近い位置から始動入賞装置１７に向けてほぼ真っ直ぐに落下するため、第２ステージ部１２０に達した遊技球をより確実に始動入賞装置１７に入賞させることができるようになっている。
【００３６】
なお、これまで本発明の好ましい実施形態について説明してきたが、本発明の範囲は上述した実施形態に限定されるものではない。例えば、開閉扉１３１をその閉鎖位置方向に常に付勢する手段として、上記実施例では捩りバネを用いたが、捩りバネを用いる代わりに曲げによる弾性変形の変形量の大きい弾性体を球導入用開口を閉鎖する開閉扉として用いるようにしてもよい。すなわち、開閉扉は一端が支持された板バネとしての機能を有するものであり、このように構成すれば、開閉扉上に所定個数以上の遊技球が達した場合にこの開閉扉自体が下方に弾性変形して、遊技球を球導入用開口内へと誘導させることが可能である。
【００３７】
ここで、本発明において達成される効果は下記のようになっている。すなわち、本発明に係る弾球遊技機においては、内部空間に導入された遊技球がステージを転動しつつ中央飾りの下方に向けて落下するが、内部空間には遊技球の落下経路を変更するための可動部材が設けられている。この可動部材は、ステージを転動する所定個数以上の遊技球が当該可動部材上に一度に達したときに作動して、遊技球の落下経路を変更させることが可能となっている。
【００３８】
そして、可動部材により遊技球の落下経路を変更させれば、遊技球を入賞装置に入賞し易くさせたり、入賞しにくくさせたりすることが可能であり、遊技球の落下経路によって入賞装置への入賞可能性が異なるため、遊技性がより向上した遊技装置構成になっている。さらに、この可動物は、モータやソレノイドといったものにより発生する動力を必要としないため、外部からの電力供給が不要で外部配線が不要であり配線による制約を受けないことから、センター役物のステージ上に自由に配設することができるという利点を有する。その上、モータやソレノイドを必要としない分、部品の数を減らすことができ、遊技装置を構成する上でのコストを削減することができる。
【００３９】
また、特にステージ部にガイド部材を設けることにより、ステージ部上を転動する遊技球を開閉扉上に向かって転動するように誘導することが可能となっており、球導入用開口に誘導された遊技球を遊技盤の前面に連通する球通路に通過させることで、始動入賞装置により近い位置から遊技球が落下して始動入賞装置に入賞し易くすることが可能となっている。
【図面の簡単な説明】
【００４０】
【図１】本発明に係る弾球遊技機の一例として示すパチンコ機の正面図である。
【図２】上記パチンコ機の内部構造を表した背面図である。
【図３】上記パチンコ機の遊技盤に装着されるセンター役物を示す正面図である。
【図４】上記センター役物の内部空間の下部に設けられたステージ部周辺を示す斜視図である。
【図５】上記センター役物の内部空間の下部に設けられたステージ部周辺を示す平面図である。
【図６】上記センター役物のステージ部に設けられた開閉扉の開閉の様子を示す図で、（ａ）はその閉鎖位置にある状態を示す側断面図で、（ｂ）はその開放を始めた状態を示す側断面図で、（ｃ）はその開放位置にある状態を示す側断面図であり、（ｄ）乃至（ｆ）は、各々上記（ａ）乃至（ｃ）の状態に対応する平面図である。
【符号の説明】
【００４１】
ＰＭ  パチンコ機（弾球遊技機）
ＰＡ  遊技領域
ＣＹ  センター役物
１  外枠
２  前枠
５  ガラス扉
６  球皿
１０  遊技盤
１７  始動入賞装置（入賞装置）
１８  大入賞装置（入賞装置）
２０  図柄表示装置
１００  中央飾り
１０１  内部空間
１１０  第１ステージ部
１２０  第２ステージ部（ステージ部）
１２２  球導入用開口
１２３  ガイド部（ガイド部材）
１３１  開閉扉（可動部材）
１３２  回動軸
１３３  捩りバネ
１４１  球排出孔
１４２  球通路
【図１】
2006149924.tif 000003
【図２】
2006149924.tif 000004
【図３】
2006149924.tif 000005
【図４】
2006149924.tif 000006
【図５】
2006149924.tif 000007
【図６】
2006149924.tif 000008